(57)【要約】【課題】良好な周波数特性を得ることが可能な電子回路を提供すること。【解決手段】本発明は、ポートＡ〜Ｄを備え、ポートＡ〜Ｄからアンテナ１０と接続されるポートを選択するスイッチ１２と、ポートＡと端子Ｔｘ２０およびＲｘ２０との間に接続され、Ｗ−ＣＤＭＡ  Ｂａｎｄ４を有するデュプレクサ２０と、ポートＢと端子Ｔｘ２２およびＲｘとの間に接続され、Ｂａｎｄ７より受信帯域と送信帯域との間隔が小さいＢａｎｄ７を有するデュプレクサ２２と、ポートＣと受信端子Ｒｘ２５との間に接続され、Ｂａｎｄ７の受信帯域と重なる受信帯域を有する受信フィルタ２５と、を具備し、Ｂａｎｄ７に含まれる信号の送信および受信、並びにＢａｎｄ７に含まれる信号の受信を同時に行う場合、スイッチ１２はポートＡおよびＣを選択し、ポートＢは選択しない電子回路１００である。【選択図】図１
2015029233.tif 000002
【特許請求の範囲】
【請求項１】
複数のポートを備え、前記複数のポートからアンテナと接続されるポートを選択するスイッチと、
前記複数のポートのうち第１ポートと第１端子との間に接続され、第１通過帯域を有する第１デュプレクサと、
前記複数のポートのうち第２ポートと第２端子との間に接続され、前記第１通過帯域より受信帯域と送信帯域との間隔が小さい第２通過帯域を有する第２デュプレクサと、
前記複数のポートのうち第３ポートと第３端子との間に接続され、前記第２通過帯域の受信帯域と重なる受信帯域を有するフィルタと、を具備し、
前記第１通過帯域に含まれる信号の送信および受信、並びに前記第２通過帯域に含まれる信号の受信を同時に行う場合、前記スイッチは前記第１ポートおよび前記第３ポートを選択し、前記第２ポートは選択しないことを特徴とする電子回路。
【請求項２】
前記第１通過帯域に含まれる信号の受信、並びに前記第２通過帯域に含まれる信号の送信および受信を同時に行う場合、前記スイッチは前記第１ポートおよび前記第２ポートを選択し、前記第３ポートは選択しないことを特徴とする請求項１記載の電子回路。
【請求項３】
前記スイッチが前記第１ポートおよび前記第３ポートを選択した場合、
前記第１通過帯域の送信帯域および受信帯域に含まれる周波数では、前記スイッチから見て前記フィルタは開放され、
前記第２通過帯域の受信帯域に含まれる周波数では、前記スイッチから見て前記第１デュプレクサは開放されることを特徴とする請求項１または２記載の電子回路。
【請求項４】
前記第１ポートと前記第１デュプレクサとの間に接続された第１整合回路と、
前記第２ポートと前記第２デュプレクサとの間に接続された第２整合回路と、
前記第３ポートと前記フィルタとの間に接続された第３整合回路と、を具備することを特徴とする請求項１から３いずれか一項記載の電子回路。
【請求項５】
前記複数のポートのうち第４ポートと第４端子との間に接続され、前記第１通過帯域より受信帯域と送信帯域との間隔が小さく受信帯域が前記第１通過帯域の受信帯域と重なる第３通過帯域を有する第３デュプレクサを具備し、
前記第１通過帯域に含まれる信号の受信、並びに前記第２通過帯域に含まれる信号の送信および受信を同時に行う場合、前記スイッチは前記第２ポートおよび前記第４ポートを選択し、前記第１ポートおよび前記第３ポートは選択しないことを特徴とする請求項１から４いずれか一項記載の電子回路。
【請求項６】
前記スイッチが前記第２ポートおよび前記第４ポートを選択した場合、
前記第１通過帯域の受信帯域に含まれる周波数では、前記スイッチから見て前記第２デュプレクサは開放され、
前記第２通過帯域の送信帯域および受信帯域に含まれる周波数では、前記スイッチから見て前記第３デュプレクサは開放されることを特徴とする請求項５記載の電子回路。
【請求項７】
前記第４ポートと前記第３デュプレクサとの間に接続された第４整合回路を具備することを特徴とする請求項５または６記載の電子回路。
【請求項８】
前記スイッチが前記第１ポートおよび前記第２ポートを選択した場合、
前記第１通過帯域の受信帯域に含まれる周波数では、前記スイッチから見て前記第２デュプレクサは開放され、
前記第２通過帯域の送信帯域および受信帯域に含まれる周波数では、前記スイッチから見て前記第１デュプレクサは開放されることを特徴とする請求項１から７いずれか一項記載の電子回路。
【発明の詳細な説明】
【技術分野】
【０００１】
本発明は電子回路に関する。
【背景技術】
【０００２】
携帯電話などの通信機器の機能はインターネットへの接続などへの拡大が進んでいる。通信データの増大に対応するため、ＬＴＥ（Long Term Evolution）−Ａｄｖａｎｃｅｄなどの技術の開発が進められている。ＬＴＥ−Ａｄｖａｎｃｅｄでは高スループット化のためＣＡ（Carrier Aggregation）が用いられる。Ｉｎｔｅｒ−ｂａｎｄ  ＣＡでは例えば２つの周波数帯域を共用することで広帯域化、高速化およびデータ量の拡大を図る。ＣＡ対応のモジュールには、複数の周波数帯域を共用するため複数のフィルタまたはデュプレクサが用いられる。一方のデュプレクサのインピーダンスが他方のデュプレクサの通過帯域において高くなることで、信号の損失が抑制され、良好な周波数特性が得られる。特許文献１および２には複数のデュプレクサ間において高インピーダンスを実現する技術が記載されている。３つ以上の周波数帯域に対応するモジュールは、３つ以上のデュプレクサまたはフィルタ、およびスイッチを備える。スイッチは周波数帯域に応じて３つ以上のデュプレクサまたはフィルタから選択してアンテナに接続する。
【先行技術文献】
【特許文献】
【０００３】
【特許文献１】特開平１０−２４７８０１号公報
【特許文献２】特開２０１２−２８８９５号公報
【発明の概要】
【発明が解決しようとする課題】
【０００４】
しかし、送信帯域と受信帯域との間隔が大きい周波数帯域に対して、デュプレクサを高インピーダンスとすることは困難であった。インピーダンスが最適化されない結果、信号が漏洩するため、周波数特性が悪化する。本発明は上記課題に鑑み、良好な周波数特性を得ることが可能な電子回路を提供することを目的とする。
【課題を解決するための手段】
【０００５】
本発明は、複数のポートを備え、前記複数のポートからアンテナと接続されるポートを選択するスイッチと、前記複数のポートのうち第１ポートと第１端子との間に接続され、第１通過帯域を有する第１デュプレクサと、前記複数のポートのうち第２ポートと第２端子との間に接続され、前記第１通過帯域より受信帯域と送信帯域との間隔が小さい第２通過帯域を有する第２デュプレクサと、前記複数のポートのうち第３ポートと第３端子との間に接続され、前記第２通過帯域の受信帯域と重なる受信帯域を有するフィルタと、を具備し、前記第１通過帯域に含まれる信号の送信および受信、並びに前記第２通過帯域に含まれる信号の受信を同時に行う場合、前記スイッチは前記第１ポートおよび前記第３ポートを選択し、前記第２ポートは選択しない電子回路である。
【０００６】
上記構成において、前記第１通過帯域に含まれる信号の受信、並びに前記第２通過帯域に含まれる信号の送信および受信を同時に行う場合、前記スイッチは前記第１ポートおよび前記第２ポートを選択し、前記第３ポートは選択しない構成とすることができる。
【０００７】
上記構成において、前記スイッチが前記第１ポートおよび前記第３ポートを選択した場合、前記第１通過帯域の送信帯域および受信帯域に含まれる周波数では、前記スイッチから見て前記フィルタは開放され、前記第２通過帯域の受信帯域に含まれる周波数では、前記スイッチから見て前記第１デュプレクサは開放される構成とすることができる。
【０００８】
上記構成において、前記第１ポートと前記第１デュプレクサとの間に接続された第１整合回路と、前記第２ポートと前記第２デュプレクサとの間に接続された第２整合回路と、前記第３ポートと前記フィルタとの間に接続された第３整合回路と、を具備する構成とすることができる。
【０００９】
上記構成において、前記複数のポートのうち第４ポートと第４端子との間に接続され、前記第１通過帯域より受信帯域と送信帯域との間隔が小さく受信帯域が前記第１通過帯域の受信帯域と重なる第３通過帯域を有する第３デュプレクサを具備し、前記第１通過帯域に含まれる信号の受信、並びに前記第２通過帯域に含まれる信号の送信および受信を同時に行う場合、前記スイッチは前記第２ポートおよび前記第４ポートを選択し、前記第１ポートおよび前記第３ポートは選択しない構成とすることができる。
【００１０】
上記構成において、前記スイッチが前記第２ポートおよび前記第４ポートを選択した場合、前記第１通過帯域の受信帯域に含まれる周波数では、前記スイッチから見て前記第２デュプレクサは開放され、前記第２通過帯域の送信帯域および受信帯域に含まれる周波数では、前記スイッチから見て前記第３デュプレクサは開放される構成とすることができる。
【００１１】
上記構成において、前記第４ポートと前記第３デュプレクサとの間に接続された第４整合回路を具備する構成とすることができる。
【００１２】
上記構成において、前記スイッチが前記第１ポートおよび前記第２ポートを選択した場合、前記第１通過帯域の受信帯域に含まれる周波数では、前記スイッチから見て前記２デュプレクサは開放され、前記第２通過帯域の送信帯域および受信帯域に含まれる周波数では、前記スイッチから見て前記第１デュプレクサは開放される構成とすることができる。
【発明の効果】
【００１３】
本発明によれば、良好な周波数特性を得ることが可能な電子回路を提供することができる。
【図面の簡単な説明】
【００１４】
【図１】図１は実施例１に係る電子回路を例示するブロック図である。
【図２】図２は各バンドの帯域を例示する模式図である。
【図３】図３はＮｏ．１の例を示すブロック図である。
【図４】図４（ａ）はＮｏ．４の例を示すブロック図である。図４（ｂ）および図４（ｃ）はデュプレクサのインピーダンスを例示するスミスチャートである。
【図５】図５（ａ）はＮｏ．５の例を示すブロック図である。図５（ｂ）はフィルタのインピーダンスを例示するスミスチャートである。
【図６】図６（ａ）はＮｏ．６の例を示すブロック図である。図６（ｂ）および図６（ｃ）はデュプレクサのインピーダンスを例示するスミスチャートである。
【図７】図７は実施例３に係る電子回路を例示するブロック図である。
【図８】図８は整合回路の例を示す回路図である。
【発明を実施するための形態】
【００１５】
図面を用いて実施例について説明する。
【実施例１】
【００１６】
実施例１はデュプレクサ及びフィルタを用いてＣＡを行う例である。図１は実施例１に係る電子回路１００を例示するブロック図である。図１に示すように、電子回路１００はスイッチ１２、整合回路１４、１６、１８および１９、デュプレクサ２０、２２および２４、受信フィルタ２５、集積回路（Integrated Circuit：ＩＣ）２６を備える。ＩＣ２６はパワーアンプ（Power Amplifier：ＰＡ）２６ａおよびローノイズアンプ（Low Noise Amplifier：ＬＮＡ）２６ｂを備える。ＩＣ２６はアップコンバートおよびダウンコンバートなど信号の処理を行う。ＰＡ２６ａは送信信号を増幅する。ＬＮＡ２６ｂは受信信号を増幅する。電子回路１００は例えば通信機器用のモジュールなどに用いられる。
【００１７】
デュプレクサ２０（第１デュプレクサ）は送信フィルタ２０ａおよび受信フィルタ２０ｂを含む。デュプレクサ２２（第２デュプレクサ）は送信フィルタ２２ａおよび受信フィルタ２２ｂを含む。デュプレクサ２４（第３デュプレクサ）は送信フィルタ２４ａおよび受信フィルタ２４ｂを含む。各フィルタは例えば弾性表面波（Surface Acoustic Wave：ＳＡＷ）フィルタなどのバンドパスフィルタである。
【００１８】
スイッチ１２は４つのポートＡ〜Ｄを備える半導体スイッチである。整合回路１４（第１整合回路）の一端はポートＡ（第１ポート）に接続され、他端は送信フィルタ２０ａおよび受信フィルタ２０ｂの一端に接続されている。送信フィルタ２０ａの他端は送信端子Ｔｘ２０（第１端子）を介してＰＡ２６ａに接続されている。受信フィルタ２０ｂの他端は受信端子Ｒｘ２０（第１端子）を介してＬＮＡ２６ｂに接続されている。ポートＡ〜ＩＣ２６の接続と同様に、ポートＢ（第２ポート）、整合回路１６（第２整合回路）、デュプレクサ２２、送信端子Ｔｘ２２および受信端子Ｒｘ２２（共に第２端子）、ＰＡ２６ａ並びにＬＮＡ２６ｂは接続されている。整合回路１８（第３整合回路）の一端はポートＣ（第３ポート）に接続され、他端は受信フィルタ２５の一端に接続されている。受信フィルタ２５の他端は受信端子Ｒｘ２５（第３端子）を介してＬＮＡ２６ｂに接続されている。ポートＡ〜ＩＣ２６の接続と同様に、ポートＤ（第４ポート）、整合回路１９（第４整合回路）、デュプレクサ２４、送信端子Ｔｘ２４および受信端子Ｒｘ２４（共に第４端子）、ＰＡ２６ａ並びにＬＮＡ２６ｂは接続されている。整合回路１４、１６、１８および１９はデュプレクサ間のインピーダンス、デュプレクサ・フィルタ間のインピーダンス、アンテナ１０と各デュプレクサ間のインピーダンス、およびアンテナ１０と受信フィルタ２５間のインピーダンスを整合する。
【００１９】
デュプレクサは互いに異なる周波数帯域に対応する。デュプレクサ２０は例えばＷ−ＣＤＭＡ（Wideband Code Division Multiple Access）  Ｂａｎｄ４に対応する。デュプレクサ２２は例えばＷ−ＣＤＭＡ  Ｂａｎｄ７に対応する。デュプレクサ２４は例えばＷ−ＣＤＭＡ  Ｂａｎｄ１に対応する。受信フィルタ２５はＷ−ＣＤＭＡ  Ｂａｎｄ７の受信帯域に対応する。以下、Ｗ−ＣＤＭＡを省略しバンド（Ｂａｎｄ）のみ記載することがある。また受信帯域をＲｘ、送信帯域をＴｘと記載することがある。
【００２０】
図２は各バンドの帯域を例示する模式図であり、上から順にＢａｎｄ１、Ｂａｎｄ４およびＢａｎｄ７を表す。横軸は周波数である。図２に示すように、Ｂａｎｄ７における受信帯域の上端と送信帯域の下端との間隔は１９０ＭＨｚであり、Ｂａｎｄ４における受信帯域の上端と送信帯域の下端との間隔４４５ＭＨｚより小さい。Ｂａｎｄ１における受信帯域の上端と送信帯域の下端との間隔は２５０ＭＨｚである。間隔とは、受信帯域の上端の周波数と送信帯域の下端の周波数との差である。
【００２１】
信号の送信および受信（送受信）について説明する。スイッチ１２は、使用する周波数帯域に応じてポートＡ〜Ｄからポートを選択し、アンテナ１０と接続する。表１は周波数帯域とポートとの関係を示す表である。
【表１】
2015029233.tif 000003
Ｎｏ．１〜３の例では１つの周波数帯域の信号の送受信を行う。Ｎｏ．４〜７の例はＣＡの例であり、２つの周波数帯域の信号を同時に送受信する。実施例１ではＮｏ．４〜７のうちＮｏ．４および５について説明する。Ｎｏ．６および７は実施例２において説明する。
【００２２】
１つの周波数帯域を用いる例について説明する。表１のＮｏ．１〜３に示すように、１つの周波数帯域を用いる場合、スイッチ１２は１つのポートをＯＮにし、他のポートをＯＦＦにする。
【００２３】
図３は表１のＮｏ．１（Ｂａｎｄ４の信号の送受信）の例を示すブロック図である。ＩＣ２６は省略した。図３および表１に示すようにスイッチ１２はポートＡをＯＮにし、他のポートをＯＦＦにする。送信信号は、送信端子Ｔｘ２０から送信フィルタ２０ａに入力される。送信信号は、送信フィルタ２０ａによりフィルタリングされ、スイッチ１２を介してアンテナ１０から送信される。受信信号はアンテナ１０により受信され、スイッチ１２を介して受信フィルタ２０ｂに入力される。受信フィルタ２０ｂによりフィルタリングされた受信信号は受信端子Ｒｘ２０から出力される。ポートＢ、ＣおよびＤはＯＦＦであるため送信信号および受信信号はデュプレクサ２２および２４並びに受信フィルタ２５には入力されない。表１のＮｏ．２および３の例においてもＮｏ．１の例と同様に信号の送受信が行われる。
【００２４】
次に２つの周波数帯域を同時に用いるＣＡの例について説明する。ＣＡでは、表１のＮｏ．４〜７に示すように２つの周波数帯域を用いる。Ｎｏ．４（Ｂａｎｄ４の信号の受信、およびＢａｎｄ７の信号の送受信）の例について説明する。図４（ａ）はＮｏ．４の例を示すブロック図である。図４（ａ）および表１に示すように、スイッチ１２はポートＡおよびＢをＯＮにし、ポートＣおよびＤはＯＦＦにする。
【００２５】
図４（ｂ）はデュプレクサ２０のインピーダンスを例示するスミスチャートである。図４（ｂ）の破線の楕円はＢａｎｄ７の周波数帯域（送信帯域および受信帯域）におけるデュプレクサ２０のインピーダンスＺ７−１を示す。図４（ｃ）はデュプレクサ２２のインピーダンスを例示するスミスチャートである。図４（ｃ）の破線の楕円はＢａｎｄ４の送信帯域（Ｂａｎｄ４Ｔｘ）におけるデュプレクサ２２のインピーダンスＺ４Ｔｘ−１を示す。点線の楕円はＢａｎｄ４の受信帯域（Ｂａｎｄ４Ｒｘ）におけるデュプレクサ２２のインピーダンスＺ４Ｒｘ−１を示す。インピーダンスとはスイッチ１２から見たインピーダンスを意味する。
【００２６】
図４（ｂ）に示すようにインピーダンスＺ７−１はスミスチャートの右端付近に位置する。つまりインピーダンスＺ７−１は無限大、または無限大近傍まで高くなる。図４（ｃ）に示すようにインピーダンスＺ４Ｒｘ−１はスミスチャートの右端に位置する。インピーダンスＺ４Ｔｘ−１はスミスチャートの右端より上側にずれる。Ｎｏ．４の例で用いるＢａｎｄ７ＴｘおよびＲｘに対してデュプレクサ２０は開放し、Ｂａｎｄ４Ｒｘに対してデュプレクサ２２は開放する。つまり、スイッチ１２から見て、デュプレクサ２０および２２は互いに相手方の周波数帯域において開放される。このため、Ｂａｎｄ７ＴｘおよびＲｘ方式の信号はデュプレクサ２０に流れにくく、デュプレクサ２２に流れやすい。Ｂａｎｄ４Ｒｘ方式の信号はデュプレクサ２０に流れにくく、デュプレクサ２２に流れやすい。Ｂａｎｄ４の受信およびＢａｎｄ７の送受信が同時に行われる。
【００２７】
図２に示したようにＢａｎｄ７においてＴｘ〜Ｒｘの間隔は小さい。このため、図４（ｂ）に示したようにデュプレクサ２０をＢａｎｄ７のＴｘおよびＲｘの両方に対して開放とすることができる。図２に示したようにＢａｎｄ４においてＴｘ〜Ｒｘの間隔は大きい。このため図４（ｃ）に示したようにデュプレクサ２２をＢａｎｄ４のＴｘおよびＲｘの両方に対して開放とすることは困難である。デュプレクサ２２をＢａｎｄ４Ｒｘに対して開放させると、Ｂａｎｄ４Ｔｘに対して開放されない。従って、図４（ａ）に示した構成でＢａｎｄ４の送信を行うと、Ｂａｎｄ４の送信信号がデュプレクサ２２に漏洩する。信号の漏洩により周波数特性が悪化する。
【００２８】
実施例１では受信フィルタ２５を用いることでＢａｎｄ４の送信を含むＣＡを行う。表１のＮｏ．５（Ｂａｎｄ４の送受信、並びにＢａｎｄ７の受信）について説明する。
【００２９】
図５（ａ）はＮｏ．５の例を示すブロック図である。図５（ａ）および表１に示すように、スイッチ１２はポートＡおよびＣをＯＮにし、ポートＢおよびＤはＯＦＦにする。
【００３０】
デュプレクサ２０のインピーダンスは図４（ｂ）に示したものと同じである。図５（ｂ）は受信フィルタ２５のインピーダンスを例示するスミスチャートである。図５（ｂ）の破線の楕円はＢａｎｄ４Ｔｘにおける受信フィルタ２５のインピーダンスＺ４Ｔｘ−２を示す。点線の楕円はＢａｎｄ４Ｒｘにおける受信フィルタ２５のインピーダンスＺ４Ｒｘ−２を示す。図５（ｂ）に示すようにインピーダンスＺ４Ｔｘ−２およびＺ４Ｒｘ−２はスミスチャートの右端近傍に位置する。すなわち受信フィルタ２５はＢａｎｄ４ＴｘおよびＲｘに対して開放している。フィルタは容量性インピーダンスとして機能する。送信フィルタ２２ａを備えるデュプレクサ２２と比較して、受信フィルタ２５は容量性インピーダンスが取り除かれていると見なすことができる。このためインピーダンスが実軸方向に回転し、インピーダンスＺ４Ｔｘ−２およびＺ４Ｒｘ−２が無限大に近付く。
【００３１】
このように実施例１によれば、デュプレクサ２２と同じ受信帯域を有する受信フィルタ２５とデュプレクサ２０によりＣＡを行う。スイッチ１２から見てデュプレクサ２０と受信フィルタ２５とは互いに相手方の周波数帯域において開放される。このため、Ｂａｎｄ７の信号はデュプレクサ２０に流れにくく、受信フィルタ２５に流れやすい。Ｂａｎｄ４の信号は受信フィルタ２５に流れにくく、デュプレクサ２０に流れやすい。信号の漏洩が抑制されるため、信号の損失の少ない良好な周波数特性が得られる。
【実施例２】
【００３２】
実施例２はデュプレクサ２４を用いて表１のＮｏ．６のＣＡを行う例である。実施例２においても図１に示した電子回路１００を用いる。図２に示したようにＢａｎｄ１ＲｘとＢａｎｄ４Ｒｘとは重なっている。Ｂａｎｄ１Ｒｘの信号を通過させる受信フィルタ２４ｂは、Ｂａｎｄ４Ｒｘの信号も通過させる。従って受信フィルタ２４ｂはＢａｎｄ４対応の受信フィルタとして機能する。
【００３３】
図６（ａ）はＮｏ．６の例を示すブロック図である。図６（ａ）および表１に示すように、スイッチ１２はポートＢおよびＤをＯＮにし、ポートＡおよびＣはＯＦＦにする。
【００３４】
図６（ｂ）はデュプレクサ２２のインピーダンスを例示するスミスチャートである。図６（ｂ）の破線の楕円はＢａｎｄ１の通信帯域におけるデュプレクサ２２のインピーダンスＺ１を示す。インピーダンスＺ１はスミスチャートの右端に位置する。図２に示したようにＢａｎｄ１のＴｘ〜Ｒｘ間隔は、Ｂａｎｄ４のＴｘ〜Ｒｘ間隔に比べ小さい。従ってデュプレクサ２２はＢａｎｄ１のＴｘおよびＲｘの両方に対して開放することができる。図６（ｃ）はデュプレクサ２４のインピーダンスを例示するスミスチャートである。図６（ｃ）の破線の楕円はＢａｎｄ７の通信帯域におけるデュプレクサ２４のインピーダンスＺ７−２を示す。インピーダンスＺ７−２はスミスチャートの右端に位置する。このようにデュプレクサ２２および２４は相手方の帯域において開放する。実施例２よれば、実施例１と同様に、良好な周波数特性を得ることができる。
【００３５】
図６（ａ）の例を用いて、表１のＮｏ．７のＣＡが可能である。デュプレクサ２２はＢａｎｄ１の通信帯域に対して開放し、デュプレクサ２４はＢａｎｄ７の通信帯域に対して開放しているためである。表１のＮｏ．６および７以外に、例えばＢａｎｄ１Ｔｘ＆ＲｘおよびＢａｎｄ７ＲｘのＣＡ、Ｂａｎｄ１Ｔｘ＆ＲｘおよびＢａｎｄ７Ｔｘ＆ＲｘのＣＡも図６（ａ）の例により可能である。Ｂａｎｄ４Ｒｘ並びにＢａｎｄ７ＴｘおよびＲｘのＣＡは、表１のＮｏ．４およびＮｏ．６のどちらの例で行ってもよい。
【実施例３】
【００３６】
実施例３はスイッチ１２が３つのポートを有する例である。実施するＣＡに応じてポートの数を変更してもよい。図７は実施例３に係る電子回路３００を例示するブロック図である。図７に示すようにスイッチ１２はポートＡ〜Ｃを有する。電子回路３００により表１のＮｏ．１、２、４および５の通信を実施することができる。
【００３７】
フィルタは、例えば弾性境界波フィルタおよび弾性薄膜共振器（Film Bulk Acoustic Resonator：ＦＢＡＲ）を用いたフィルタなどの弾性波フィルタでもよいし、弾性波フィルタ以外のフィルタでもよい。スイッチ１２が備えるポートは４つ以上でもよい。スイッチ１２に接続されるフィルタは２つ以上でもよいし、デュプレクサは４つ以上でもよい。
【００３８】
整合回路１４、１６、１８および１９は例えばインダクタおよびキャパシタの少なくとも一方含む回路とすることができる。整合回路の例について説明する。図８は整合回路の例を示す回路図である。図８に示すように、端子３０と端子３２との間にキャパシタＣ１が直列接続されている。端子３０とキャパシタＣ１との間にインダクタＬ１の一端が接続され、キャパシタＣ１と端子３２との間にインダクタＬ２の一端が接続されている。インダクタＬ１およびＬ２それぞれの他端は接地されている。
【００３９】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００４０】
１０                                      アンテナ
１２                                      スイッチ
１４、１６、１８、１９                    整合回路
２０、２２、２４                          デュプレクサ
２０ａ、２２ａ、２４ａ                    送信フィルタ
２０ｂ、２２ｂ、２４ｂ、２５              受信フィルタ
１００、３００                            電子回路
Ａ〜Ｄ                                    ポート
Ｔｘ２０、Ｔｘ２２、Ｔｘ２４              送信端子
Ｒｘ２０、Ｒｘ２２、Ｒｘ２４、Ｒｘ２５    受信端子
【図１】
2015029233.tif 000004
【図２】
2015029233.tif 000005
【図３】
2015029233.tif 000006
【図４】
2015029233.tif 000007
【図５】
2015029233.tif 000008
【図６】
2015029233.tif 000009
【図７】
2015029233.tif 000010
【図８】
2015029233.tif 000011